(57)【特許請求の範囲】
【請求項１】
（Ａ）成分：炭素数２以上３以下のポリオール、
（Ｂ）成分：下記一般式（Ｉ）で表されるポリオキシアルキレンアルキル若しくはアルケニルエーテル硫酸エステル又は該硫酸エステル塩、
Ｒ１Ｏ−（Ｒ２Ｏ）ｍＳＯ３Ｍ          （Ｉ）
（式（Ｉ）中、Ｒ１は、炭素数１６以上２４以下のアルキル基又はアルケニル基を示し、Ｒ２Ｏはオキシアルキレン基である。ｍはアルキレンオキサイドの平均付加モル数を示す０．５以上１０以下の数である。Ｍは、水素原子又は陽イオンである。）
（Ｃ）成分：前記（Ｂ）成分以外のアルカリ金属塩及びアルカリ金属水酸化物から選ばれる１種以上、並びに
（Ｄ）成分：水
を含有する界面活性剤組成物であって、
（Ａ）成分の含有量が２５質量％以上９８質量％以下、
（Ｂ）成分の含有量が該硫酸エステル換算量で０．０５質量％以上１０質量％以下、
（Ｂ）成分のポリオキシアルキレンアルキル又はアルケニルエーテル硫酸エステル塩由来、並びに（Ｃ）成分のアルカリ金属塩及びアルカリ金属水酸化物から選ばれる１種以上由来の、アルカリ金属（Ｘ）の合計含有量が金属元素換算量で２．５質量％以下であり、
（Ｂ）成分に対するアルカリ金属（Ｘ）のモル比〔（Ｘ）／（Ｂ）〕が１．５以上である、
界面活性剤組成物。
【請求項２】
（Ａ）成分及び（Ｄ）成分の合計含有量が８５質量％以上９９．６質量％以下である、請求項１に記載の界面活性剤組成物。
【請求項３】
（Ｄ）成分の含有量が２質量％以上７２質量％以下である、請求項１又は２に記載の界面活性剤組成物。
【請求項４】
Ｒ２Ｏがオキシエチレン基である、請求項１〜３のいずれかに記載の界面活性剤組成物。
【請求項５】
（Ｂ）成分に対する（Ａ）成分の質量比〔（Ａ）／（Ｂ）〕が、２．５以上１，９００以下である、請求項１〜４のいずれかに記載の界面活性剤組成物。
【請求項６】
アルカリ金属（Ｘ）に対する（Ａ）成分の質量比〔（Ａ）／（Ｘ）〕が、２０以上１，０００以下である、請求項１〜５のいずれかに記載の界面活性剤組成物。
【請求項７】
（Ｄ）成分に対する（Ａ）成分の質量比〔（Ａ）／（Ｄ）〕が、０．３５以上４５以下である、請求項１〜６のいずれかに記載の界面活性剤組成物。
【請求項８】
（Ｂ）成分に対するアルカリ金属（Ｘ）のモル比〔（Ｘ）／（Ｂ）〕が、１．５以上３，０００以下である、請求項１〜７のいずれかに記載の界面活性剤組成物。
【請求項９】
アルカリ金属（Ｘ）の合計含有量が、金属元素換算量で０．０５質量％以上２．５質量％以下である、請求項１〜８のいずれかに記載の界面活性剤組成物。
【請求項１０】
２５℃における粘度が６ｍＰａ・ｓ以上である、請求項１〜９のいずれかに記載の界面活性剤組成物。
【請求項１１】
（Ａ）成分、（Ｂ）成分、（Ｃ）成分、及び（Ｄ）成分を配合して得られる、請求項１〜１０のいずれかに記載の界面活性剤組成物。
【請求項１２】
（Ａ）成分、（Ｂ）成分、（Ｃ）成分、及び（Ｄ）成分を配合する、請求項１〜１１のいずれかに記載の界面活性剤組成物の製造方法。
【発明の詳細な説明】
【技術分野】
【０００１】
本発明は、化粧料、洗浄剤等に用いられる界面活性剤組成物、及び該界面活性剤組成物の製造方法に関する。
【背景技術】
【０００２】
従来、陰イオン界面活性剤水溶液を増粘させる方法としては、塩化ナトリウムや硫酸ナトリウムといった無機塩を添加し、ミセルの凝集により水溶液濃度を上昇させる方法（シックニング）がある。無機塩は、溶解性に優れることから広く汎用的に使用されている。しかし、添加量に対しての増粘効果が低く、所望の粘度まで調整する際に多量の無機塩を添加しなければならない。
例えば、特許文献１には、下記一般式（１）及び下記一般式（２）で表される化合物を混合して得られる界面活性剤組成物が記載されている。
Ｒ１Ｏ−（ＥＯ）ｍＳＯ３Ｍ      （１）
Ｒ２Ｏ−（ＡＯ）ｎＳＯ３Ｍ      （２）
（式中、Ｒ１とＲ２は同一又は異なっていても良い炭素数８〜２４のアルキル基を示し、ＥＯはエチレンオキシ基、ＡＯは炭素数３若しくは４のアルキレンオキシ基であり、０＜ｎ≦３である。Ｍは陽イオンである。）
特許文献２には、（Ａ）水溶性セルロース増粘剤約０．１〜１．５％、（Ｂ）エチレングリコール、プロピレングリコール、ポリオキシエチレングリコール、ポリオキシプロピレングリコール等、およびそれらの混合物からなる溶媒約０．５〜２０％、（Ｃ）合成界面活性剤約１０〜５０％、（Ｄ）電解質約０．００１〜１．０％、（Ｅ）水約５０〜８０％を含有する、洗浄剤組成物が記載されている。
【先行技術文献】
【特許文献】
【０００３】
【特許文献１】特開２００９−１２０６６４号公報
【特許文献２】特開昭６１−８１４９６号公報
【発明の概要】
【発明が解決しようとする課題】
【０００４】
しかしながら、特許文献１、２の界面活性剤組成物等では、増粘のために多量の塩や界面活性剤が必要である。
本発明は、界面活性剤が低濃度であっても、高い粘度を有しつつ、保存安定性（以下、単に安定性ともいう）に優れる界面活性剤組成物を提供することを課題とする。
【課題を解決するための手段】
【０００５】
本発明者は、特定量の（Ａ）成分：炭素数２以上３以下のポリオール、（Ｂ）成分：アルキル基又はアルケニル基の炭素数が１６以上２４以下のポリオキシアルキレンアルキル若しくはアルケニルエーテル硫酸エステル又はその塩、（Ｃ）成分：前記（Ｂ）成分以外のアルカリ金属塩及びアルカリ金属水酸化物から選ばれる１種以上、及び（Ｄ）成分：水を含有する界面活性剤組成物により、上記課題を解決し得ることを見出した。
すなわち、本発明は、次の［１］〜［２］を提供する。
［１］（Ａ）成分：炭素数２以上３以下のポリオール、（Ｂ）成分：下記一般式（Ｉ）で表されるポリオキシアルキレンアルキル若しくはアルケニルエーテル硫酸エステル又は該硫酸エステル塩、
Ｒ１Ｏ−（Ｒ２Ｏ）ｍＳＯ３Ｍ          （Ｉ）
（式（Ｉ）中、Ｒ１は、炭素数１６以上２４以下のアルキル基又はアルケニル基を示し、Ｒ２Ｏはオキシアルキレン基である。ｍはアルキレンオキサイドの平均付加モル数を示す０．５以上１０以下の数である。Ｍは、水素原子又は陽イオンである。）
（Ｃ）成分：前記（Ｂ）成分以外のアルカリ金属塩及びアルカリ金属水酸化物から選ばれる１種以上、並びに（Ｄ）成分：水を含有する界面活性剤組成物であって、
（Ａ）成分の含有量が２５質量％以上９８質量％以下、
（Ｂ）成分の含有量が該硫酸エステル換算量で０．０５質量％以上１０質量％以下、
（Ｂ）成分のポリオキシアルキレンアルキル又はアルケニルエーテル硫酸エステル塩由来、並びに（Ｃ）成分のアルカリ金属塩及びアルカリ金属水酸化物から選ばれる１種以上由来、のアルカリ金属（Ｘ）の合計含有量が金属元素換算量で２．５質量％以下であり、
（Ｂ）成分に対するアルカリ金属（Ｘ）のモル比〔（Ｘ）／（Ｂ）〕が１．５以上である、
界面活性剤組成物。
［２］（Ａ）成分、（Ｂ）成分、（Ｃ）成分、及び（Ｄ）成分を配合する、［１］に記載の界面活性剤組成物の製造方法。
【発明の効果】
【０００６】
本発明によれば、従来のアルキルエーテル硫酸エステル塩を含む界面活性剤組成物よりも界面活性剤濃度が低濃度であっても、高い粘度を有しつつ、安定性に優れた界面活性剤組成物を提供することができる。
【図面の簡単な説明】
【０００７】
【図１】実施例１３で得られた界面活性剤組成物の偏光顕微鏡での観察図である。
【発明を実施するための形態】
【０００８】
［界面活性剤組成物］
本発明の界面活性剤組成物は、
（Ａ）成分：炭素数２以上３以下のポリオール、
（Ｂ）成分：下記一般式（Ｉ）で表されるポリオキシアルキレンアルキル若しくはアルケニルエーテル硫酸エステル又は該硫酸エステル塩、
Ｒ１Ｏ−（Ｒ２Ｏ）ｍＳＯ３Ｍ          （Ｉ）
（式（Ｉ）中、Ｒ１は、炭素数１６以上２４以下のアルキル基又はアルケニル基を示し、Ｒ２Ｏはオキシアルキレン基である。ｍはアルキレンオキサイドの平均付加モル数を示す０．５以上１０以下の数である。Ｍは、水素原子又は陽イオンである。）
（Ｃ）成分：前記（Ｂ）成分以外のアルカリ金属塩及びアルカリ金属水酸化物から選ばれる１種以上、並びに
（Ｄ）成分：水
を含有する界面活性剤組成物であって、
（Ａ）成分の含有量が２５質量％以上９８質量％以下、
（Ｂ）成分の含有量が該硫酸エステル換算量で０．０５質量％以上１０質量％以下、
（Ｂ）成分のポリオキシアルキレンアルキル又はアルケニルエーテル硫酸エステル塩由来、並びに（Ｃ）成分のアルカリ金属塩及びアルカリ金属水酸化物から選ばれる１種以上由来、のアルカリ金属（Ｘ）の合計含有量が金属元素換算量で２．５質量％以下であり、
（Ｂ）成分に対するアルカリ金属（Ｘ）のモル比〔（Ｘ）／（Ｂ）〕が１．５以上である。
【０００９】
本発明の界面活性剤組成物によれば、従来のアルキルエーテル硫酸エステル塩を含む界面活性剤組成物よりも界面活性剤濃度が低濃度であっても、高い粘度を有しつつ、安定性に優れる。その理由は定かではないが、以下のように考えられる。
（Ａ）成分の含有量、（Ｂ）成分の含有量、（Ｂ）成分のポリオキシアルキレンアルキル又はアルケニルエーテル硫酸エステル塩由来、並びに（Ｃ）成分のアルカリ金属塩及びアルカリ金属水酸化物から選ばれる１種以上由来のアルカリ金属（Ｘ）の合計含有量、並びに（Ｄ）成分の含有量を特定の範囲に調整することにより、（Ａ）成分乃至（Ｃ）成分からなる構造体を形成し、該構造体間での相互作用により、増粘効果が発現するためと考えられる。
以下、各成分について詳細に記載する。
【００１０】
＜（Ａ）成分＞
本発明の界面活性剤組成物は、（Ａ）成分：炭素数２以上３以下のポリオールを含有する。
炭素数２以上３以下のポリオールとしては、エチレングリコール、１，２−プロパンジオール、１，３‐プロパンジオール等のジオール；グリセリン等のトリオールが挙げられる。炭素数２以上３以下のポリオールは、粘度を向上させる観点から、好ましくはエチレングリコール、１，２−プロパンジオール、及びグリセリンから選ばれる１種以上、より好ましくはエチレングリコール及び１，２−プロパンジオールから選ばれる１種以上、更に好ましくはエチレングリコールである。また、これらのポリオールは、単独で又は２種以上を混合して用いることができる。
【００１１】
＜（Ｂ）成分＞
本発明の界面活性剤組成物は、（Ｂ）成分：下記一般式（Ｉ）で表されるポリオキシアルキレンアルキル若しくはアルケニルエーテル硫酸エステル又は該硫酸エステル塩を含有する。
Ｒ１Ｏ−（Ｒ２Ｏ）ｍＳＯ３Ｍ          （Ｉ）
（式（Ｉ）中、Ｒ１は、炭素数１６以上２４以下のアルキル基又はアルケニル基を示し、Ｒ２Ｏはオキシアルキレン基である。ｍはアルキレンオキサイドの平均付加モル数を示す０．５以上１０以下の数である。Ｍは、水素原子又は陽イオンである。）
【００１２】
Ｒ１は、炭素数１６以上２４以下のアルキル基又はアルケニル基であり、好ましくは直鎖若しくは分岐鎖のアルキル基又はアルケニル基、より好ましくは直鎖又は分岐鎖のアルキル基、更に好ましくは直鎖のアルキル基である。
アルキル基又はアルケニル基であるＲ１の炭素数は、増粘させる観点から、１６以上、好ましくは１８以上であり、増粘させる観点及び組成物の安定性の観点からは、より好ましくは２０以上、更に好ましくは２２以上であり、そして、入手性の観点から、２４以下、好ましくは２２以下であり、これらの観点から、２２がより好ましい。
Ｒ１で示される炭素数１６以上２４以下のアルキル基又はアルケニル基は、具体的には、セチル基、マルガリル基、イソステアリル基、２−ヘプチルウンデシル基、ステアリル基、アラキジル基、ベヘニル基、リグノセリル基等のアルキル基；オレイル基等のアルケニル基が挙げられる。
Ｒ２Ｏで表されるオキシアルキレン基のアルキレン基は、好ましくは直鎖状又は分岐鎖状であり、より好ましくは直鎖状である。アルキレン基の炭素数は、好ましくは２以上であり、そして、好ましくは４以下、より好ましくは３以下であり、更に好ましくは２である。
Ｒ２Ｏで表されるオキシアルキレン基は、好ましくはオキシエチレン基、オキシプロピレン基、オキシ１−メチルトリメチレン基、オキシトリメチレン基、及びオキシテトラメチレン基から選ばれる１種以上であり、より好ましくはオキシエチレン基及びオキシプロピレン基から選ばれる１種以上であり、更に好ましくはオキシエチレン基である。
【００１３】
アルキレンオキサイドの平均付加モル数であるｍは、粘度を向上させる観点から、０．５以上、好ましくは１以上、より好ましくは１．５以上、より更に好ましくは２以上、より更に好ましくは３以上であり、そして、同様の観点から、１０以下、好ましくは８以下、より好ましくは７以下、更に好ましくは６以下、より更に好ましくは５以下、より更に好ましくは４である。
【００１４】
前記式（Ｉ）中、Ｍが陽イオンの時、ポリオキシアルキレンアルキル又はアルケニルエーテル硫酸エステル塩となる。
前記式（Ｉ）中のＭで表される陽イオンとしては、アルカリ金属イオン、アルカリ土類金属イオン、アンモニウムイオン、及びトリエタノールアンモニウムイオン等のアルカノールアンモニウムイオン等が挙げられる。アルカリ金属としては、リチウム、ナトリウム、カリウム等が挙げられ、また、アルカリ土類金属としてはカルシウム等が挙げられる。前記式（Ｉ）中のＭは、好ましくはアルカリ金属イオンであり、より好ましくはナトリウムイオン及びカリウムイオンから選ばれる１種以上であり、更に好ましくはナトリウムイオンである。また、上記一般式（Ｉ）で表されるポリオキシアルキレンアルキル若しくはアルケニルエーテル硫酸エステル又は該硫酸エステル塩は、単独で又は２種以上を混合して用いることができる。
【００１５】
＜（Ｃ）成分＞
本発明の界面活性剤組成物は、（Ｃ）成分：前記（Ｂ）成分以外のアルカリ金属塩及びアルカリ金属水酸物から選ばれる１種以上を含有する。前記（Ｂ）成分以外とは、前記（Ｂ）成分のアルカリ金属塩以外という意味である。
なお、（Ｃ）成分は、予め、（Ｂ）成分と混合して用いてもよく、その場合、上記一般式（Ｉ）で表されるポリオキシアルキレンアルキル又はアルケニルエーテル硫酸エステルに、アルカリ金属水酸化物を、中和当量を超えて過剰量添加した態様で用いてもよい。
アルカリ金属塩及びアルカリ金属水酸物に含まれるアルカリ金属は、粘度を向上させる観点から、好ましくはリチウム、ナトリウム、及びカリウムから選ばれる１種以上であり、より好ましくはナトリウム及びカリウムから選ばれる１種以上であり、更に好ましくはカリウムである。
アルカリ金属水酸化物は、水酸化ナトリウム、水酸化カリウム等の水酸化物が挙げられ、粘度を向上させる観点から、好ましくは水酸化ナトリウム及び水酸化カリウムから選ばれる１種以上、より好ましくは水酸化カリウムである。また、これらのアルカリ金属水酸化物は、単独で又は２種以上を混合して用いることができる。
【００１６】
アルカリ金属塩は、無機酸塩及び前記（Ｂ）成分以外の有機酸塩から選ばれる１種以上である。無機酸塩としては、硝酸ナトリウム、硝酸カリウム等の硝酸塩；硫酸ナトリウム、硫酸カリウム等の硫酸塩；塩化ナトリウム、塩化カリウム等のハロゲン化塩が挙げられる。前記（Ｂ）成分以外の有機酸塩としては、酢酸ナトリウム、酢酸カリウム、プロピオン酸ナトリウム、プロピオン酸カリウム等の脂肪族カルボン酸塩、コハク酸二ナトリウム、コハク酸二カリウム、アジピン酸二ナトリウム、アジピン酸二カリウム等の脂肪族ジカルボン酸塩；クエン酸ナトリウム、クエン酸カリウム等のクエン酸塩、リンゴ酸二ナトリウム、リンゴ酸二カリウム等のリンゴ酸塩等が挙げられる。また、これらのアルカリ金属塩は、単独で又は２種以上を混合して用いることができる。
【００１７】
＜（Ｄ）成分＞
本発明の界面活性剤組成物は、（Ｄ）成分：水を含有する。
【００１８】
［界面活性剤組成物の製造方法］
本発明の界面活性剤組成物は、（Ａ）成分、（Ｂ）成分、（Ｃ）成分、及び（Ｄ）成分を配合して得られる。各成分を配合する順序は特にない。全ての成分を配合した後、好ましくは６０℃以上、より好ましくは８０℃以上、そして、好ましくは１００℃以下に、加熱し、必要に応じ攪拌し、溶解させた後、室温（２０℃）まで、冷却することが好ましい。
【００１９】
［各成分の配合量］
本発明の界面活性剤組成物における各成分の配合量は、以下の通りである。
（Ａ）成分の配合量は、界面活性剤組成物の総量１００質量％に対して、粘度を向上させる観点から、好ましくは２５質量％以上、より好ましくは３０質量％以上、更に好ましくは４０質量％以上、より更に好ましくは５０質量％以上であり、そして、コストを低減する観点及びより少ない（Ａ）成分で増粘させる観点から、好ましくは９８質量％以下、より好ましくは９０質量％以下、更に好ましくは８０質量％以下、より更に好ましくは７０質量％以下、より更に好ましくは６０質量％以下である。
【００２０】
（Ｂ）成分の配合量は、界面活性剤組成物の総量１００質量％に対して、粘度を向上させる観点から、硫酸エステル換算量で、好ましくは０．０５質量％以上、より好ましくは０．１質量％以上、更に好ましくは０．２質量％以上であり、そして、コストを低減する観点及びより少ない界面活性剤で粘度を向上させる観点から、硫酸エステル換算量で、好ましくは１０質量％以下、より好ましくは５質量％以下、更に好ましくは３質量％以下、より更に好ましくは１質量％以下、より更に好ましくは０．７質量％以下、より更に好ましくは０．５質量％以下、より更に好ましくは０．４質量％以下である。なお、硫酸エステル換算量とは、前記一般式（Ｉ）で表されるポリオキシアルキレンアルキル又はアルケニルエーテル硫酸エステル（Ｍが水素原子）での換算量である。また、（Ｂ）成分が混合物である場合には、該混合物の各成分の総和としての量である。以下における「硫酸エステル換算量」も同義である。
【００２１】
（Ｃ）成分の配合量は、界面活性剤組成物の総量１００質量％に対して、粘度を向上させる観点から、好ましくは０．０７質量％以上、より好ましくは０．１５質量％以上、更に好ましくは０．２質量％以上、より更に好ましくは０．４質量％、より更に好ましくは０．７質量％以上、より更に好ましくは０．９質量％以上、そして、同様の観点から、好ましくは３．５質量％以下、より好ましくは２．５質量％以下、更に好ましくは２質量％以下、より更に好ましくは１．８質量％以下、より更に好ましくは１．３質量％以下である。
【００２２】
（Ｄ）成分の配合量は、界面活性剤組成物の総量１００質量％に対して、（Ａ）成分の量を減少させ、コストを低減する観点から、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上であり、そして、粘度を向上させる観点から、好ましくは７２質量％以下、より好ましくは７０質量％以下、更に好ましくは６０質量％以下、より更に好ましくは５５質量％以下、より更に好ましくは５０質量％以下である。
【００２３】
［界面活性剤組成物の含有量］
本発明の界面活性剤組成物における各成分の含有量は、以下の通りである。
本発明の界面活性剤組成物における（Ａ）成分の含有量は、粘度を向上させる観点から、２５質量％以上、好ましくは３０質量％以上、より好ましくは４０質量％以上、更に好ましくは５０質量％以上であり、そして、コストを低減する観点及びより少ない（Ａ）成分で増粘させる観点から、９８質量％以下、好ましくは９０質量％以下、より好ましくは８０質量％以下、更に好ましくは７０質量％以下、より更に好ましくは６０質量％以下である。
【００２４】
本発明の界面活性剤組成物における（Ｂ）成分の含有量は、粘度を向上させる観点から、硫酸エステル換算量で、０．０５質量％以上、好ましくは０．１質量％以上、より好ましくは０．２質量％以上であり、そして、コストを低減する観点及びより少ない界面活性剤で粘度を向上させる観点から、硫酸エステル換算量で、１０質量％以下、好ましくは５質量％以下、より好ましくは３質量％以下、更に好ましくは１質量％以下、より更に好ましくは０．７質量％以下、より更に好ましくは０．５質量％以下、より更に好ましくは０．４質量％以下である。
【００２５】
本発明の界面活性剤組成物における前記（Ｂ）成分のポリオキシアルキレンアルキル又はアルケニルエーテル硫酸エステル塩由来、並びに前記（Ｃ）成分のアルカリ金属塩及びアルカリ金属水酸化物から選ばれる１種以上由来、のアルカリ金属（Ｘ）の合計含有量は、粘度を向上させる観点から、金属元素換算量で、好ましくは０．０５質量％以上、より好ましくは０．１質量％以上、更に好ましくは０．１５質量％以上、より更に好ましくは０．３質量％、より更に好ましくは０．５質量％以上、より更に好ましくは０．８質量％以上、そして、同様の観点から、金属元素換算量で、２．５質量％以下、好ましくは２質量％以下、より好ましくは１．５質量％以下、更に好ましくは１．３質量％以下である。
なお、前記アルカリ金属（Ｘ）の各々の金属元素換算量は、配合量×（化合物中のアルカリ金属の原子量／化合物の分子量）から、求めることができる。
例えば、水酸化ナトリウムの場合、配合量×（２３／４０）として、計算で求めることができ、塩化カリウムの場合、配合量×（３９／７４．５）となる。あるいは、ＩＣＰの発光分析等により、組成物中の含有量を直接求めることもできる。また、アルカリ金属が複数種ある場合には、各アルカリ金属の金属元素換算量の総和としての量である。
【００２６】
本発明の界面活性剤組成物における（Ｃ）成分の含有量は、粘度を向上させる観点から、金属元素換算量で、好ましくは０．０７質量％以上、より好ましくは０．１５質量％以上、更に好ましくは０．２質量％以上、より更に好ましくは０．４質量％、より更に好ましくは０．７質量％以上、より更に好ましくは０．９質量％以上、そして、同様の観点から、好ましくは３．５質量％以下、より好ましくは２．５質量％以下、更に好ましくは２質量％以下、より更に好ましくは１．８質量％以下、より更に好ましくは１．３質量％以下である。
【００２７】
本発明の界面活性剤組成物における（Ｄ）成分の含有量は、（Ａ）成分の量を減少させ、コストを低減する観点から、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上であり、そして、粘度を向上させる観点から、好ましくは７２質量％以下、より好ましくは７０質量％以下、更に好ましくは６０質量％以下、より更に好ましくは５５質量％以下、より更に好ましくは５０質量％以下である。
【００２８】
本発明の界面活性剤組成物における（Ｂ）成分に対する（Ａ）成分の質量比〔（Ａ）／（Ｂ）〕は、粘度を向上させる観点から、好ましくは１，９００以下、より好ましくは１，５００以下、更に好ましくは１，０００以下、より更に好ましくは８００以下、より更に好ましくは５００以下、より更に好ましくは３００以下であり、そして、より少ない界面活性剤で増粘させる観点から、好ましくは２．５以上、より好ましくは５以上、更に好ましくは１０以上、より更に好ましくは２０以上、より更に好ましくは５０以上、より更に好ましくは１００以上、より更に好ましくは２００以上である。なお、（Ｂ）成分の質量は、硫酸エステル換算量である。
【００２９】
本発明の界面活性剤組成物におけるアルカリ金属（Ｘ）に対する（Ａ）成分の質量比〔（Ａ）／（Ｘ）〕は、粘度を向上させる観点から、好ましくは１，０００以下、より好ましくは７００以下、更に好ましくは５００以下、より更に好ましくは３００以下、より更に好ましくは２００以下、より更に好ましくは１００以下であり、そして、同様の観点から、好ましくは２０以上、より好ましくは３０以上、更に好ましくは４０以上である。
【００３０】
本発明の界面活性剤組成物における（Ｄ）成分に対する（Ａ）成分の質量比〔（Ａ）／（Ｄ）〕は、より少ない界面活性剤で増粘させる観点から、好ましくは４５以下、より好ましくは３０以下、更に好ましくは２０以下、より更に好ましくは１０以下、より更に好ましくは５以下、より更に好ましくは４以下、より更に好ましくは３以下であり、そして、粘度を向上させる観点から、好ましくは０．３５以上、より好ましくは０．５以上、更に好ましくは０．７以上、より更に好ましくは１以上、より更に好ましくは１．３以上である。
【００３１】
本発明の界面活性剤組成物における（Ａ）成分及び（Ｄ）成分の合計含有量は、他の成分を配合して粘度を向上させる観点から、好ましくは９９．６質量％以下、より好ましくは９９．０質量％以下、更に好ましくは９８．５質量％以下、より更に好ましくは９８．３質量％以下であり、そして、より少ない界面活性剤で増粘させる観点から、好ましくは８５．０質量％以上、より好ましくは８８．０質量％以上、更に好ましくは９０．０質量％以上、より更に好ましくは９３．０質量％以上、より更に好ましくは９５．０質量％以上、より更に好ましくは９７．０質量％以上である。
【００３２】
本発明の界面活性剤組成物におけるアルカリ金属（Ｘ）に対する（Ｂ）成分の質量比〔（Ｂ）／（Ｘ）〕は、粘度を向上させる観点から、好ましくは０．０２以上、より好ましくは０．０５以上、更に好ましくは０．１以上であり、そして、より少ない界面活性剤で増粘させる観点から、好ましくは５０以下、より好ましくは２０以下、更に好ましくは５以下、より更に好ましくは３以下、より更に好ましくは１以下、より更に好ましくは０．５以下である。なお、（Ｂ）成分の質量は、硫酸エステル換算量である。
【００３３】
本発明の界面活性剤組成物における（Ｂ）成分に対するアルカリ金属（Ｘ）のモル比〔（Ｘ）／（Ｂ）〕は、粘度を向上させる観点から、１．５以上、好ましくは２．５以上、より好ましくは３以上、更に好ましくは５以上、より更に好ましくは１０以上、より更に好ましくは２０以上、より更に好ましくは３０以上であり、そして、同様の観点から、好ましくは３，０００以下、より好ましくは２，５００以下、更に好ましくは２，０００以下、より更に好ましくは１，５００以下、より更に好ましくは１，０００以下、より更に好ましくは７００以下、より更に好ましくは５００以下、より更に好ましくは４００以下、より更に好ましくは３００以下、より更に好ましくは２００以下、より更に好ましくは１００以下である。なお、アルカリ金属（Ｘ）のモル数は、アルカリ金属の金属元素換算量を金属元素の原子量（12Ｃの値を１２としたときの元素の相対的質量）で除した数であり、アルカリ金属が複数種ある場合には、各アルカリ金属の合計モル数である。（Ｂ）成分のモル数は、（Ｂ）成分の質量（硫酸エステル換算量）を、前記一般式（Ｉ）で表されるポリオキシアルキレンアルキル又はアルケニルエーテル硫酸エステルの分子量で除した数であり、（Ｂ）成分が混合物である場合には、該混合物の各成分の合計モル数である。
【００３４】
本発明の界面活性剤組成物の物性は以下のとおりである。
本発明の界面活性剤組成物は、常温（２５℃）における粘度が、好ましくは６ｍＰａ・ｓ以上、より好ましくは１０ｍＰａ・ｓ以上、更に好ましくは１５ｍＰａ・ｓ以上、より更に好ましくは２０ｍＰａ・ｓ以上、より更に好ましくは３０ｍＰａ・ｓ以上であり、そして、好ましくは３００ｍＰａ・ｓ以下、より好ましくは２００ｍＰａ・ｓ以下、更に好ましくは１００ｍＰａ・ｓ以下、より更に好ましくは５０ｍＰａ・ｓ以下である。上記粘度は、実施例に記載の方法で測定される値である。
本発明の界面活性剤組成物の２０℃におけるｐＨは、好ましくは６以上、より好ましくは７以上であり、そして、好ましくは１２以下、より好ましくは１１以下である。
このようにして得られた本発明の界面活性剤組成物は、更に、他の成分、例えば、薬剤、粉体、防腐剤等を配合することもでき、例えば、化粧料、洗浄剤、塗料、インク、潤滑剤、接着剤、農業用配合物、石油掘削用流体等に好適に用いることができる。
【００３５】
上述した実施の形態に関し、本発明は以下の界面活性剤組成物を開示する。
＜１＞  （Ａ）成分：炭素数２以上３以下のポリオール、
（Ｂ）成分：下記一般式（Ｉ）で表されるポリオキシアルキレンアルキル若しくはアルケニルエーテル硫酸エステル又は該硫酸エステル塩、
Ｒ１Ｏ−（Ｒ２Ｏ）ｍＳＯ３Ｍ          （Ｉ）
（式（Ｉ）中、Ｒ１は、炭素数１６以上２４以下のアルキル基又はアルケニル基を示し、Ｒ２Ｏはオキシアルキレン基である。ｍはアルキレンオキサイドの平均付加モル数を示す０．５以上１０以下の数である。Ｍは、水素原子又は陽イオンである。）
（Ｃ）成分：前記（Ｂ）成分以外のアルカリ金属塩及びアルカリ金属水酸化物から選ばれる１種以上、並びに
（Ｄ）成分：水
を含有する界面活性剤組成物であって、
（Ａ）成分の含有量が２５質量％以上９８質量％以下、
（Ｂ）成分の含有量が該硫酸エステル換算量で０．０５質量％以上１０質量％以下、
（Ｂ）成分のポリオキシアルキレンアルキル又はアルケニルエーテル硫酸エステル塩由来、並びに（Ｃ）成分のアルカリ金属塩及びアルカリ金属水酸化物から選ばれる１種以上由来、のアルカリ金属（Ｘ）の合計含有量が金属元素換算量で２．５質量％以下であり、
（Ｂ）成分に対するアルカリ金属（Ｘ）のモル比〔（Ｘ）／（Ｂ）〕が１．５以上である、
界面活性剤組成物。
【００３６】
＜２＞  炭素数２以上３以下のポリオールが、好ましくはエチレングリコール、１，２−プロパンジオール、及びグリセリンから選ばれる１種以上、より好ましくはエチレングリコール及び１，２−プロパンジオールから選ばれる１種以上、更に好ましくはエチレングリコールである、上記＜１＞に記載の界面活性剤組成物。
＜３＞  前記式（Ｉ）中、Ｒ１の炭素数が、好ましくは１８以上であり、より好ましくは２０以上、更に好ましくは２２以上であり、そして、好ましくは２２以下であり、より好ましくは２２である、上記＜１＞又は＜２＞に記載の界面活性剤組成物。
＜４＞  前記式（Ｉ）中、Ｒ１が、好ましくはセチル基、マルガリル基、イソステアリル基、２−ヘプチルウンデシル基、ステアリル基、アラキジル基、ベヘニル基、及びリグノセリル基から選ばれる１種以上であり、更に好ましくはイソステアリル基、２−ヘプチルウンデシル基、ステアリル基、アラキジル基、及びベヘニル基から選ばれる１種以上であり、より更に好ましくはベヘニル基である、上記＜１＞〜＜３＞のいずれかに記載の界面活性剤組成物。
＜５＞  Ｒ２Ｏで表されるオキシアルキレン基が、好ましくはオキシエチレン基、オキシプロピレン基、オキシ１−メチルトリメチレン基、オキシトリメチレン基、及びオキシテトラメチレン基から選ばれる１種以上であり、より好ましくはオキシエチレン基及びオキシプロピレン基から選ばれる１種以上であり、更に好ましくはオキシエチレン基である、上記＜１＞〜＜４＞のいずれかに記載の界面活性剤組成物。
＜６＞  アルキレンオキサイドの平均付加モル数であるｍが、好ましくは１以上、より好ましくは１．５以上、更に好ましくは２以上、より更に好ましくは３以上であり、そして、好ましくは８以下、より好ましくは７以下、更に好ましくは６以下、より更に好ましくは５以下、より更に好ましくは４である、上記＜１＞〜＜５＞のいずれかに記載の界面活性剤組成物。
＜７＞  前記式（Ｉ）中のＭで表される陽イオンが、好ましくはアルカリ金属イオンであり、より好ましくはナトリウムイオン及びカリウムイオンから選ばれる１種以上であり、更に好ましくはナトリウムイオンである、上記＜１＞〜＜６＞のいずれかに記載の界面活性剤組成物。
【００３７】
＜８＞  アルカリ金属塩及びアルカリ金属水酸物に含まれるアルカリ金属が、好ましくはリチウム、ナトリウム、及びカリウムから選ばれる１種以上であり、より好ましくはナトリウム及びカリウムから選ばれる１種以上であり、更に好ましくはカリウムである、上記＜１＞〜＜７＞のいずれかに記載の界面活性剤組成物。
＜９＞  アルカリ金属水酸化物が、好ましくは水酸化ナトリウム及び水酸化カリウムから選ばれる１種以上であり、より好ましくは水酸化カリウムである、上記＜１＞〜＜７＞のいずれかに記載の界面活性剤組成物。
＜１０＞  アルカリ金属塩が、無機酸塩及び前記（Ｂ）成分以外の有機酸塩から選ばれる１種以上である、上記＜１＞〜＜９＞のいずれかに記載の界面活性剤組成物。
【００３８】
＜１１＞  （Ａ）成分の配合量が、界面活性剤組成物の総量１００質量％に対して、好ましくは２５質量％以上、より好ましくは３０質量％以上、更に好ましくは４０質量％以上、より更に好ましくは５０質量％以上であり、そして、好ましくは９８質量％以下、より好ましくは９０質量％以下、更に好ましくは８０質量％以下、より更に好ましくは７０質量％以下、より更に好ましくは６０質量％以下である、上記＜１＞〜＜１０＞のいずれかに記載の界面活性剤組成物。
＜１２＞  （Ｂ）成分の配合量が、界面活性剤組成物の総量１００質量％に対して、硫酸エステル換算量で、好ましくは０．０５質量％以上、より好ましくは０．１質量％以上、更に好ましくは０．２質量％以上であり、そして、好ましくは１０質量％以下、より好ましくは５質量％以下、更に好ましくは３質量％以下、より更に好ましくは１質量％以下、より更に好ましくは０．７質量％以下、より更に好ましくは０．５質量％以下、より更に好ましくは０．４質量％以下である、上記＜１＞〜＜１１＞のいずれかに記載の界面活性剤組成物。
＜１３＞  （Ｃ）成分の配合量が、界面活性剤組成物の総量１００質量％に対して、好ましくは０．０７質量％以上、より好ましくは０．１５質量％以上、更に好ましくは０．２質量％以上、より更に好ましくは０．４質量％、より更に好ましくは０．７質量％以上、より更に好ましくは０．９質量％以上、そして、好ましくは３．５質量％以下、より好ましくは２．５質量％以下、更に好ましくは２質量％以下、より更に好ましくは１．８質量％以下、より更に好ましくは１．３質量％以下である、上記＜１＞〜＜１２＞のいずれかに記載の界面活性剤組成物。
＜１４＞  （Ｄ）成分の配合量が、界面活性剤組成物の総量１００質量％に対して、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上であり、そして、好ましくは７２質量％以下、より好ましくは７０質量％以下、更に好ましくは６０質量％以下、より更に好ましくは５５質量％以下、より更に好ましくは５０質量％以下である、上記＜１＞〜＜１３＞のいずれかに記載の界面活性剤組成物。
【００３９】
＜１５＞  （Ａ）成分の含有量が、好ましくは３０質量％以上、より好ましくは４０質量％以上、更に好ましくは５０質量％以上であり、そして、好ましくは９０質量％以下、より好ましくは８０質量％以下、更に好ましくは７０質量％以下、より更に好ましくは６０質量％以下である、上記＜１＞〜＜１４＞のいずれかに記載の界面活性剤組成物。
＜１６＞  （Ｂ）成分の含有量が、硫酸エステル換算量で、好ましくは０．１質量％以上、より好ましくは０．２質量％以上であり、そして、好ましくは５質量％以下、より好ましくは３質量％以下、更に好ましくは１質量％以下、より更に好ましくは０．７質量％以下、より更に好ましくは０．５質量％以下、より更に好ましくは０．４質量％以下である、上記＜１＞〜＜１５＞のいずれかに記載の界面活性剤組成物。
＜１７＞  前記（Ｂ）成分のポリオキシアルキレンアルキル又はアルケニルエーテル硫酸エステル塩由来、並びに前記（Ｃ）成分のアルカリ金属塩及びアルカリ金属水酸化物から選ばれる１種以上由来のアルカリ金属（Ｘ）の合計含有量が、金属元素換算量で、好ましくは０．０５質量％以上、より好ましくは０．１質量％以上、更に好ましくは０．１５質量％以上、より更に好ましくは０．３質量％、より更に好ましくは０．５質量％以上、より更に好ましくは０．８質量％以上、そして、好ましくは２質量％以下、より好ましくは１．５質量％以下、更に好ましくは１．３質量％以下である、上記＜１＞〜＜１６＞のいずれかに記載の界面活性剤組成物。
＜１８＞  （Ｃ）成分の含有量が、金属元素換算量で、好ましくは０．０７質量％以上、より好ましくは０．１５質量％以上、更に好ましくは０．２質量％以上、より更に好ましくは０．４質量％、より更に好ましくは０．７質量％以上、より更に好ましくは０．９質量％以上、そして、好ましくは３．５質量％以下、より好ましくは２．５質量％以下、更に好ましくは２質量％以下、より更に好ましくは１．８質量％以下、より更に好ましくは１．３質量％以下である、上記＜１＞〜＜１７＞のいずれかに記載の界面活性剤組成物。
＜１９＞  （Ｄ）成分の含有量が、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上であり、そして、好ましくは７２質量％以下、より好ましくは７０質量％以下、更に好ましくは６０質量％以下、より更に好ましくは５５質量％以下、より更に好ましくは５０質量％以下である、上記＜１＞〜＜１８＞のいずれかに記載の界面活性剤組成物。
【００４０】
＜２０＞  （Ｂ）成分に対する（Ａ）成分の質量比〔（Ａ）／（Ｂ）〕が、好ましくは１，９００以下、より好ましくは１，５００以下、更に好ましくは１，０００以下、より更に好ましくは８００以下、より更に好ましくは５００以下、より更に好ましくは３００以下であり、そして、好ましくは２．５以上、より好ましくは５以上、更に好ましくは１０以上、より更に好ましくは２０以上、より更に好ましくは５０以上、より更に好ましくは１００以上、より更に好ましくは２００以上である、上記＜１＞〜＜１９＞のいずれかに記載の界面活性剤組成物。
＜２１＞  アルカリ金属（Ｘ）に対する（Ａ）成分の質量比〔（Ａ）／（Ｘ）〕が、好ましくは１，０００以下、より好ましくは７００以下、更に好ましくは５００以下、より更に好ましくは３００以下、より更に好ましくは２００以下、より更に好ましくは１００以下であり、そして、好ましくは２０以上、より好ましくは３０以上、更に好ましくは４０以上である、上記＜１＞〜＜２０＞のいずれかに記載の界面活性剤組成物。
＜２２＞  （Ｄ）成分に対する（Ａ）成分の質量比〔（Ａ）／（Ｄ）〕が、好ましくは４５以下、より好ましくは３０以下、更に好ましくは２０以下、より更に好ましくは１０以下、より更に好ましくは５以下、より更に好ましくは４以下、より更に好ましくは３以下であり、そして、好ましくは０．３５以上、より好ましくは０．５以上、更に好ましくは０．７以上、より更に好ましくは１以上、より更に好ましくは１．３以上である、上記＜１＞〜＜２１＞のいずれかに記載の界面活性剤組成物。
＜２３＞  （Ａ）成分及び（Ｄ）成分の合計含有量が、好ましくは９９．６質量％以下、より好ましくは９９．０質量％以下、更に好ましくは９８．５質量％以下、より更に好ましくは９８．３質量％以下であり、そして、好ましくは８５．０質量％以上、より好ましくは８８．０質量％以上、更に好ましくは９０．０質量％以上、より更に好ましくは９３．０質量％以上、より更に好ましくは９５．０質量％以上、より更に好ましくは９７．０質量％以上である、上記＜１＞〜＜２２＞のいずれかに記載の界面活性剤組成物。
＜２４＞  アルカリ金属（Ｘ）に対する（Ｂ）成分の質量比〔（Ｂ）／（Ｘ）〕が、好ましくは０．０２以上、より好ましくは０．０５以上、更に好ましくは０．１以上であり、そして、好ましくは５０以下、より好ましくは２０以下、更に好ましくは５以下、より更に好ましくは３以下、より更に好ましくは１以下、より更に好ましくは０．５以下である、上記＜１＞〜＜２３＞のいずれかに記載の界面活性剤組成物。
＜２５＞  （Ｂ）成分に対するアルカリ金属（Ｘ）のモル比〔（Ｘ）／（Ｂ）〕が、好ましくは２．５以上、より好ましくは３以上、更に好ましくは５以上、より更に好ましくは１０以上、更に好ましくは２０以上、より更に好ましくは３０以上であり、そして、好ましくは３，０００以下、より好ましくは２，５００以下、更に好ましくは２，０００以下、より更に好ましくは１，５００以下、より更に好ましくは１，０００以下、より更に好ましくは７００以下、より更に好ましくは５００以下、より更に好ましくは４００以下、より更に好ましくは３００以下、より更に好ましくは２００以下、より更に好ましくは１００以下である、上記＜１＞〜＜２４＞のいずれかに記載の界面活性剤組成物。
【００４１】
＜２６＞  常温（２５℃）における粘度が、好ましくは６ｍＰａ・ｓ以上、より好ましくは１０ｍＰａ・ｓ以上、更に好ましくは１５ｍＰａ・ｓ以上、より更に好ましくは２０ｍＰａ・ｓ以上、より更に好ましくは３０ｍＰａ・ｓ以上であり、そして、好ましくは３００ｍＰａ・ｓ以下、より好ましくは２００ｍＰａ・ｓ以下、更に好ましくは１００ｍＰａ・ｓ以下、より更に好ましくは５０ｍＰａ・ｓ以下である、上記＜１＞〜＜２５＞のいずれかに記載の界面活性剤組成物。
＜２７＞  （Ａ）成分、（Ｂ）成分、（Ｃ）成分、及び（Ｄ）成分を配合して得られる、上記＜１＞〜＜２６＞のいずれかに記載の界面活性剤組成物。
＜２８＞  （Ａ）成分、（Ｂ）成分、（Ｃ）成分、及び（Ｄ）成分を配合する、上記＜１＞〜＜２７＞のいずれかに記載の界面活性剤組成物の製造方法。
【実施例】
【００４２】
各実施例及び比較例で調製した界面活性剤組成物を、以下の方法に従って評価した。
なお、以下の実施例及び比較例において、特記しない限り「％」は「質量％」を意味する。
【００４３】
（１）粘度
各実施例及び比較例で調製した界面活性剤組成物を用いて、測定温度に設定した恒温槽で１時間静置させた後に、アントンパール社製レオメーター（ＭＣＲ−３０２形）、アタッチメント（ＣＰ５０−１）を用いて、回転速度１００／ｓで測定（測定時間５秒、２５℃）した。
【００４４】
（２）外観
各実施例及び比較例で調製した界面活性剤組成物４０ｇを５０ｃｃスクリュー管に密栓し、槽内の温度が一定に制御できる恒温槽内にて２０℃で１日静置させた後の状態を目視観察し、以下の評価基準により評価した。
［評価基準］
３：全体的に均一な濃い乳白色の濁りであった。
２：層分離はしたが、析出物の沈殿はみられなかった。
１：析出物の沈殿がみられた。
０：透明であった。
【００４５】
（３）保存安定性
各実施例及び比較例で調製した界面活性剤組成物４０ｇを５０ｍｌのサンプル瓶に密栓し、槽内の温度が一定に制御できる恒温槽内にて２０℃で静置し、１週間後と４週間後に状態を目視観察し、以下の評価基準により評価した。
［評価基準］
３：全体的に均一な濃い乳白色の濁りであった。
２：層分離はしたが、析出物の沈殿はみられなかった。
１：析出物の沈殿がみられた。
０：透明であった。
【００４６】
〔ポリオキシアルキレンアルキルエーテル硫酸エステル塩の製造〕
合成法１
外部ジャケットを有す薄膜式硫酸化反応器を使用し、炭素数１２を主とする高級アルコール（花王株式会社製、商品名；カルコール２０９８）のエトキシレート（平均エチレンオキサイド付加モル数３．０）を５．０Ｌ／ｈの供給速度で薄膜状に流下するとともに、乾燥空気で希釈した三酸化硫黄ガス（三酸化硫黄ガス濃度：１．１容量％）を、反応器冷却温度４０℃、供給速度１３０Ｌ／ｍｉｎ（三酸化硫黄／エトキシレートのモル比：１．００）の条件で加えて硫酸化反応を行った。
得られたポリオキシエチレンアルキルエーテル硫酸化物を２．５％水酸化ナトリウム水溶液（水酸化ナトリウム／ポリオキシエチレンアルキルエーテル硫酸エステルのモル比：１．１０）で、ポリオキシエチレンアルキルエーテル硫酸ナトリウム塩〔（Ｂ）成分〕の濃度が２３％以上２７％以下の水溶液になるように中和し、炭素数１２（平均エチレンオキサイド付加モル数３．０）のポリオキシエチレンアルキルエーテル硫酸ナトリウム塩を合成した。
同様の方法で炭素数１６を主とする高級アルコール（花王株式会社製、商品名；カルコール６０９８）のエトキシレート（平均エチレンオキサイド付加モル数４．０）のポリオキシエチレンアルキルエーテル硫酸ナトリウム塩、炭素数１８を主とする高級アルコール（花王株式会社製、商品名；カルコール８０９８）のエトキシレート（平均エチレンオキサイド付加モル数１．５、４．０）のポリオキシエチレンアルキルエーテル硫酸ナトリウム塩を合成した。
【００４７】
合成例２
炭素数２２を主とする高級アルコール（花王株式会社製、商品名；カルコール２２０−８０）のアルコールのエトキシレート（平均エチレンオキサイド付加モル数４．０）２１１ｇを、反応温度１１０℃でスルファミン酸（スルファミン酸／エトキシレートのモル比：１．１０）で硫酸化反応を行った。
得られたポリオキシエチレンアルキルエーテル硫酸化物２５６ｇを１．５９％水酸化ナトリウム水溶液（水酸化ナトリウム／ポリオキシエチレンアルキルエーテル硫酸エステルのモル比：１．１０）１，２８０ｍｌで中和後、減圧下８０℃で加熱し、脱アンモニアを行い、イオン交換水でポリオキシエチレンアルキルエーテル硫酸ナトリウム塩濃度が８％以上１３％以下になるように調整し、炭素数２２（平均エチレンオキサイド付加モル数４．０）のポリオキシエチレンアルキルエーテル硫酸ナトリウム塩を合成した。
【００４８】
実施例１〜２３及び比較例１〜１８
表１〜６に示す成分及び配合量で、各成分を５０ｍＬのサンプル瓶に入れ９０℃で１時間静置し完全に溶解させた。その後室温（２０℃）まで冷却し界面活性剤組成物を調製した。得られた界面活性剤組成物の粘度、外観、並びに１週間後及び４週間後の保存安定性の評価を上記方法により行った。結果を表１〜６に示す。
また、実施例１３の界面活性剤組成について偏向顕微鏡による観察を行った。観察結果図１に示す。
なお、表中の各成分の詳細は下記の通りである。
【００４９】
〔（Ａ）成分〕
・エチレングリコール：和光純薬工業株式会社製、和光  一級  純度＞９９．０％
・１，２−プロパンジオール：和光純薬工業株式会社製、和光  一級  純度＞９８．０％
・グリセリン：和光純薬工業株式会社製、和光  特級  純度＞９９．０％
【００５０】
〔（Ｂ）成分〕
・Ｃ１６ＥＳＮａ（ＥＯ＝４．０）：炭素数１６（平均エチレンオキサイド付加モル数４．０）のポリオキシエチレンアルキルエーテル硫酸ナトリウム塩（１．１モル比）
・Ｃ１８ＥＳＮａ（ＥＯ＝４．０）：炭素数１８（平均エチレンオキサイド付加モル数４．０）のポリオキシエチレンアルキルエーテル硫酸ナトリウム塩（１．１モル比）
・Ｃ１８ＥＳＮａ（ＥＯ＝１．５）：炭素数１８（平均エチレンオキサイド付加モル数１．５）のポリオキシエチレンアルキルエーテル硫酸ナトリウム塩（１．１モル比）
・Ｃ２２ＥＳＮａ（ＥＯ＝４．０）：炭素数２２（平均エチレンオキサイド付加モル数４．０）のポリオキシエチレンアルキルエーテル硫酸ナトリウム塩（１．１モル比）
【００５１】
〔（Ｃ）成分〕
・ＫＯＨ：水酸化カリウム（固形分１００％）
・ＮａＯＨ：水酸化ナトリウム（固形分１００％）
・ＫＣＬ：塩化カリウム（固形分１００％）
【００５２】
〔その他の成分〕
・エタノール：和光純薬工業株式会社製、和光  一級  純度＞９９．５％
・Ｃ１２ＥＳＮａ（ＥＯ＝４）：炭素数１２（平均エチレンオキサイド付加モル数４．０）のポリオキシエチレンアルキルエーテル硫酸ナトリウム塩（１．１モル比）
・Ｃａ（ＯＨ）２：水酸化カルシウム  和光純薬工業株式会社製  一級  純度＞８５％
・トリエタノールアミン：キシダ化学株式会社製、純度  ９７％
【００５３】
表１〜６の（Ｂ）成分の含有量（硫酸エステル換算量）は、例えばＣ２２ＥＳＮａ（ＥＯ＝４）の含有量（硫酸エステル換算量）の場合、Ｃ２２Ｈ４５Ｏ（ＥＯ）４ＳＯ３Ｈ（分子量５８２）であるので、配合量に〔質量比＝５８２／６０７．３〕を乗じて算出される。
表１〜６のアルカリ金属（Ｘ）の含有量（金属元素換算量）は、前記ポリオキシアルキレンアルキルエーテル硫酸エステル塩由来のアルカリ金属と前記アルカリ金属塩及びアルカリ金属水酸化物から選ばれる１種以上由来のアルカリ金属との合計含有量である。例えば、アルカリ金属水酸化物として水酸化カリウムを用い、ポリオキシアルキレンアルキルエーテル硫酸エステル塩としてＣ２２ＥＳＮａ（ＥＯ＝４）を用いた場合には、水酸化カリウムのカリウムとＣ２２ＥＳＮａ（ＥＯ＝４）のナトリウムとの合計含有量として算出される。
表１〜６の（Ｂ）成分に対するアルカリ金属（Ｘ）のモル比〔（Ｘ）／（Ｂ）〕は、下記のとおり、それぞれのモル数を求めることで算出される。
アルカリ金属（Ｘ）のモル数は、例えば、アルカリ金属水酸化物として水酸化カリウムを用い、ポリオキシアルキレンアルキルエーテル硫酸エステル塩としてＣ２２ＥＳＮａ（ＥＯ＝４）を用いた場合には、本発明の界面活性剤組成物におけるそれぞれの含有量から各々のモル数を求め、合計量として算出される。
（Ｂ）成分のモル数は、本発明の界面活性剤組成物における（Ｂ）成分の含有量（硫酸エステル換算量）を該硫酸エステルの分子量で除することで算出される。
【００５４】
【表１】
0006452441.tif 000002
【００５５】
【表２】
0006452441.tif 000003
【００５６】
【表３】
0006452441.tif 000004
【００５７】
【表４】
0006452441.tif 000005
【００５８】
【表５】
0006452441.tif 000006
【００５９】
【表６】
0006452441.tif 000007
【００６０】
表１〜６から明らかなように、本発明の界面活性剤組成物は界面活性剤濃度が低濃度であっても、高い粘度を示し、かつ、外観及び保存安定性にも優れていることが分かる。
また、実施例１３の界面活性剤では、凝集物が、図１の偏向顕微鏡写真に示すとおり、構造を有していることが分かる。
【産業上の利用可能性】
【００６１】
本発明の界面活性剤組成物は、高い粘度を有し、かつ、外観及び保存安定性に優れている。本発明の界面活性剤組成物は、化粧料、洗浄剤、塗料、インク、潤滑剤、接着剤、農業用配合物、石油掘削用流体等に用いることができる。
【図１】
0006452441.tif 000008